(57)【要約】【課題】容器本体内の内容物を使い切ることが可能なキャップ付容器を提供することを目的とする。【解決手段】内容物を収容する容器本体２と、容器本体２の口部２０に装着された中栓３と、口部２０に被着されたオーバーキャップ４と、を備え、オーバーキャップ４に、頂壁部６５と周壁部７１とが備えられ、口部２０に、オーバーキャップ４の周壁部７１が係合される大径部２３と、中栓３が係合される小径部２５と、小径部２５と大径部２３を接続する環状の段差部２４と、が備えられ、中栓３に、小径部２５の外側に周設されて小径部２５に係合された係合筒部３２と、注出口３５が形成されたノズル筒部３０と、ノズル筒部３０と係合筒部３２を接続するフランジ部３１と、が備えられ、段差部２４の外周部が、係合筒部３２の外周面よりも径方向外側に配設され、オーバーキャップ４に、段差部２４に対して密接される環状の段差シール部６８が設けられている。【選択図】図１
2011073722.tif 000002
【特許請求の範囲】
【請求項１】
内容物を収容する容器本体と、
該容器本体の口部に取り外し可能に装着され、前記口部よりも開口面積が小さい注出口が形成された中栓と、
前記口部に脱着可能に被着され、前記中栓を覆うオーバーキャップと、
を備えるキャップ付容器において、
前記オーバーキャップには、前記注出口を閉塞する頂壁部と、該頂壁部の外縁から垂下された周壁部と、が備えられ、
前記口部には、前記オーバーキャップの周壁部が係合される大径部と、該大径部よりも口部開口端側に配設されて前記中栓が係合される小径部と、該小径部と前記大径部とを接続する環状の段差部と、が備えられ、
前記中栓には、前記小径部の径方向外側に周設されて該小径部に係合された係合筒部と、軸方向に沿って延設されていると共に前記開口端を介して前記小径部内に連通され、先端に前記注出口が形成されたノズル筒部と、該ノズル筒部と前記係合筒部とを接続する環状のフランジ部と、が備えられ、
前記段差部の外周部は、前記係合筒部の外周面よりも径方向外側に配設されており、前記オーバーキャップには、前記段差部の外周部に対して全周に亘って密接される環状の段差シール部が設けられていることを特徴とするキャップ付容器。
【請求項２】
請求項１に記載のキャップ付容器において、
前記頂壁部に、前記注出口の周囲全周に亘って周設されて前記ノズル筒部の先端面に密接される環状の注出口シール部が突設されていることを特徴とするキャップ付容器。
【請求項３】
請求項１または２に記載のキャップ付容器において、
前記オーバーキャップの周壁部には、前記大径部の径方向外側に周設されて該大径部に係合された第一筒部と、前記係合筒部の径方向外側に周設された第二筒部と、前記ノズル筒部の径方向外側に周設された第三筒部と、前記第一筒部と前記第二筒部とを接続する第一環部と、前記第二筒部と前記第三筒部とを接続する第二環部と、が備えられ、
前記段差シール部が、前記第一環部の表面から前記段差部に向かって突設されていることを特徴とするキャップ付容器。
【請求項４】
請求項２または３に記載のキャップ付容器において、
前記第二環部に、前記フランジ部に対して全周に亘って密接される環状の中栓シール部が突設されていることを特徴とするキャップ付容器。
【発明の詳細な説明】
【技術分野】
【０００１】
本発明は、キャップ付容器に関する。
【背景技術】
【０００２】
この種のキャップ付容器として、従来、例えば下記特許文献１に記載されているような、内容物を収容する容器本体と、容器本体の口部の内側に取り外し可能に挿嵌された中栓と、中栓の外周に周設されていると共に口部の外周に螺着されたリングと、口部に被着されて中栓を覆うオーバーキャップと、を備えるチューブ容器が知られている。上記した中栓の頂壁部には、口部の内径よりも小径の注出口が形成されている。また、上記したリングの内縁は、中栓に対して上方から係止されており、このリングによって中栓が抜け止めされている。また、上記したオーバーキャップには、上記した中栓に密接される円筒形状の中栓シール部と、上記したリングに密接される円筒形状のリングシール部と、が備えられている。
【０００３】
上記した従来のキャップ付容器によれば、口部に中栓及びリングが装着された状態で使用し、小径の注出口から内容物を注出することで、内容物が少量ずつ注出され、内容物が過多に注出されることを防止することができる。一方、容器本体内の内容物の残りが少量となり、注出口から内容物が注出しにくくなったときには、まず、口部に螺着されたリングを取り外し、その後、中栓を口部から引き抜いて取り外す。これにより、内容物を口部から指等で直接掻き出すことが可能となり、容器本体内の内容物を使い切ることができる。また、中栓の取り外し後に、口部にリングを再度螺着させることで、口部にオーバーキャップを被着させたとき、リングシール部によって口部が密閉される。これにより、容器本体内の内容物の乾燥を防止することができる。
【先行技術文献】
【特許文献】
【０００４】
【特許文献１】特開２００８−２５４７６９号公報
【発明の概要】
【発明が解決しようとする課題】
【０００５】
しかしながら、上記した従来のキャップ付容器では、中栓を抜け止めするためのリングが備えられており、部品数が多いという問題がある。また、中栓の取り外し後にリングを再装着しなければならないので、口部から中栓を取り外して使用する際の手順が煩雑であるという問題がある。
【０００６】
本発明は、上記した従来の問題が考慮されたものであり、容器本体内の内容物を使い切ることが可能であると共に容器本体内の内容物の乾燥を防止することができ、且つ、部品数が少なく、口部から中栓を取り外して使用する際の手順が容易なキャップ付容器を提供することを目的としている。
【課題を解決するための手段】
【０００７】
本発明に係るキャップ付容器は、内容物を収容する容器本体と、該容器本体の口部に取り外し可能に装着され、前記口部よりも開口面積が小さい注出口が形成された中栓と、前記口部に脱着可能に被着され、前記中栓を覆うオーバーキャップと、を備えるキャップ付容器において、前記オーバーキャップには、前記注出口を閉塞する頂壁部と、該頂壁部の外縁から垂下された周壁部と、が備えられ、前記口部には、前記オーバーキャップの周壁部が係合される大径部と、該大径部よりも口部開口端側に配設されて前記中栓が係合される小径部と、該小径部と前記大径部とを接続する環状の段差部と、が備えられ、前記中栓には、前記小径部の径方向外側に周設されて該小径部に係合された係合筒部と、軸方向に沿って延設されていると共に前記開口端を介して前記小径部内に連通され、先端に前記注出口が形成されたノズル筒部と、該ノズル筒部と前記係合筒部とを接続する環状のフランジ部と、が備えられ、前記段差部の外周部は、前記係合筒部の外周面よりも径方向外側に配設されており、前記オーバーキャップには、前記段差部の外周部に対して全周に亘って密接される環状の段差シール部が設けられていることを特徴としている。
【０００８】
上記したキャップ付容器では、オーバーキャップが口部に被着されたとき、頂壁部が注出口を密閉し、段差シール部が口部の段差部に密接することによって容器本体内の気密性が確保される。
また、キャップ付容器を使用する際には、オーバーキャップを口部から取り外した後、容器本体内の内容物を注出する。
このとき、容器本体内に内容物が十分に残っている際には、口部に中栓が装着された状態で使用し、小径の注出口から内容物を注出する。これにより、内容物が少量ずつ注出される。
一方、容器本体内の内容物の残りが少量となり、注出口から内容物が注出しにくくなったときには、口部に装着された中栓を取り外す。これにより、注出口に比べて大口径の口部が開放されるので、口部に指等を挿入して容器本体内の内容物を直接掻き出すことが可能となる。そして、使用後に、口部にオーバーキャップを被着させることで、段差シール部が口部の段差部に密接し、容器本体内の気密性が確保される。
【０００９】
また、本発明に係るキャップ付容器は、前記頂壁部に、前記注出口の周囲全周に亘って周設されて前記ノズル筒部の先端面に密接される環状の注出口シール部が突設されていることが好ましい。
【００１０】
これにより、オーバーキャップが口部に被着されることで、頂壁部に形成された注出口シール部が、ノズル筒部の先端面に対して全周に亘って密接しやすくなる。
【００１１】
また、本発明に係るキャップ付容器は、前記オーバーキャップの周壁部には、前記大径部の径方向外側に周設されて該大径部に係合された第一筒部と、前記係合筒部の径方向外側に周設された第二筒部と、前記ノズル筒部の径方向外側に周設された第三筒部と、前記第一筒部と前記第二筒部とを接続する第一環部と、前記第二筒部と前記第三筒部とを接続する第二環部と、が備えられ、前記段差シール部が、前記第一環部の表面から前記段差部に向かって突設されていることが好ましい。
【００１２】
これにより、オーバーキャップが口部に被着されることで、第一環部に形成された段差シール部が段差部に対して全周に亘って密接しやすくなる。
【００１３】
また、本発明に係るキャップ付容器は、前記第二環部に、前記フランジ部に対して全周に亘って密接される環状の中栓シール部が突設されていることが好ましい。
【００１４】
これにより、オーバーキャップが口部に被着されることで、中栓シール部がフランジ部に密接することによって、容器本体内の気密性がより一層確保される。
【発明の効果】
【００１５】
本発明に係るキャップ付容器によれば、口部から中栓を取り外すことで、容器本体内の内容物を容易に使い切ることができる。また、口部の段差部に密接する段差シール部がオーバーキャップに設けられているので、中栓の取り外し前だけでなく、中栓の取り外し後も、中栓を再装着することなく容器本体内の気密性を確保することができ、容器本体内の内容物の乾燥を防止することができる。また、口部に係合される係合筒部が中栓に一体に形成されているので、中栓を抜け止めする部材が不要であり、部品数を少なくすることができる。また、口部から中栓を取り外して使用する際の手順としては、中栓を口部から取り外すだけなので、使用手順が簡単であり、使いやすさを向上させることができる。
【図面の簡単な説明】
【００１６】
【図１】本発明に係る実施の形態を説明するためのキャップ付容器の縦断面図である。
【発明を実施するための形態】
【００１７】
以下、本発明に係るキャップ付容器の実施の形態について、図面に基いて説明する。
なお、本実施の形態では、キャップ付容器１における軸方向一方側、つまり口部２０側（図１における上側）を「上方」とし、また、キャップ付容器１における軸方向他方側、つまり口部２０側の反対側（図１における下側）を「下方」とする。また、図１に示す符号Ｏは、キャップ付容器１の中心軸線を示しており、以下、単に軸線Ｏと記す。また、この軸線Ｏ方向を、以下、単に「軸方向」と記し、軸線Ｏに直交する方向を、以下、単に「径方向」と記し、軸線Ｏ回りの方向を、以下、単に「周方向」と記す。
【００１８】
図１に示すように、キャップ付容器１の概略構成としては、内部に内容物を収容する容器本体２と、容器本体２の口部２０に取り外し可能に装着された中栓３と、口部２０に脱着可能に被着されて中栓３を覆うオーバーキャップ４と、を備えている。
【００１９】
容器本体２は、筒状の口部２０が上端に設けられて図示せぬ下端が閉塞されたチューブ状の容器体であり、容器本体２の概略構成としては、可撓性を有する筒状の胴部２１と、胴部２１の上端から上方に向かうに従い漸次縮径されたテーパー状の肩部２２と、肩部２２の内縁から立設された口部２０と、を備えている。
容器本体２の図示せぬ下端部は、胴部２１の下端部を径方向内側に潰すように変形させて重ね合わせ、接着や溶着などによって接合した構成となっている。
【００２０】
口部２０は、軸線Ｏを中心軸線にして軸方向に沿って延設された多段状の筒部であり、その概略構成としては、オーバーキャップ４が係合される大径部２３と、大径部２３よりも上方（口部２０の開口端側）に配設されて中栓３が係合される小径部２５と、小径部２５と大径部２３とを接続する環状の段差部２４と、を備えている。
【００２１】
大径部２３は、肩部２２の内縁から立設されてオーバーキャップ４の内側に配設される円筒形状の筒部であり、大径部２３の外周面には、オーバーキャップ４を螺着させるための雄ねじ２６が形成されている。
段差部２４は、大径部２３の上端から全周に亘って径方向内側に突出されて小径部２５の下端に接続された円環状の段差であり、軸線Ｏに対して垂直な平面状の上面（段差面）を有している。この段差部２４の外周部は、後述する中栓３の係合筒部３２の外周面よりも径方向外側に配設されている。すなわち、段差部２４は、全周に亘って後述する係合筒部３２の径方向内側から径方向外側に向かって突出されている。
小径部２５は、大径部２３よりも小径の円筒状の筒部であり、段差部２４の内縁から立設されている。この小径部２５の外周面には、中栓３を螺着させるための雄ねじ２７が形成されている。
【００２２】
中栓３は、口部２０の上端部（小径部２５）の外周に螺着される内ネジ式の栓体であり、内容物を注出するための注出口３５が形成されている。詳しく説明すると、中栓３の概略構成としては、小径部２５の径方向外側に周設されて小径部２５に係合された係合筒部３２と、口部２０の開口端を介して小径部２５内に連通されたノズル筒部３０と、ノズル筒部３０の下端と係合筒部３２の上端とを接続するフランジ部３１と、フランジ部３１の下面から垂下されて口部２０の内側に挿入された挿入筒部３３と、を備えている。
【００２３】
ノズル筒部３０は、軸線Ｏを中心軸線にして軸方向に沿って延設されていると共に上端に頂壁部３４が設けられた有頂筒部であり、上端に注出口３５が形成されている。詳しく説明すると、ノズル筒部３０は、上方に向かうに従い漸次縮径されたテーパー状の筒体であり、口部２０の上端開口の上方に配設されている。上記した注出口３５は、口部２０の上端よりも開口面積が小さい開口であり、具体的には、口部２０の上端開口よりも小径の円形孔からなる。
フランジ部３１は、ノズル筒部３０の下端から径方向外側に向けて全周に亘って突出された円環状の板部であり、軸線Ｏに対して略垂直に配設されている。フランジ部３１は、口部２０の上方に配設されており、フランジ部３１の下面は、口部２０の小径部２５の上端面に当接されている。
【００２４】
係合筒部３２は、フランジ部３１の外縁から垂下された円筒状の筒部である。この係合筒部３２は、軸線Ｏを共通軸にして小径部２５と同軸上に配設されており、この係合筒部３２の内周面には、上記した小径部２５の雄ねじ２７に螺合される雌ねじ３６が形成されている。なお、この係合筒部３２の外径は、上記した口部２０の段差部２４の外径（大径部２３の外径）よりも小径である。
挿入筒部３３は、上記した係合筒部３２及び口部２０の小径部２５の内側に配設された略円筒形状の筒部であり、軸線Ｏを共通軸にして係合筒部３２及び小径部２５と同軸上に配設されている。
なお、中栓３は１つの部品からなる部材であり、上記したノズル筒部３０、フランジ部３１、係合筒部３２及び挿入筒部３３は一体に形成されている。
【００２５】
オーバーキャップ４には、有頂筒状の外殻部材５と、外殻部材５の内側に嵌合されたキャップ本体６と、が備えられている。
外殻部材５は、キャップ本体６を被覆する外装体であり、軸線Ｏを中心軸線にして軸方向に沿って延設された有頂筒状の部材である。外殻部材５の概略構成としては、軸線Ｏに対して垂直に配設された天壁部５０と、天壁部５０の外縁から垂下された周壁部５１と、を備えている。天壁部５０は、平面視円形の板部であり、後述するキャップ本体６の頂壁部６５の上方に配設されている。周壁部５１は、直筒状の円筒部であり、周壁部５１の外径は容器本体２の胴部２１の外径と略同径となっている。この周壁部５１の下部の内周面には、縦断面視略凹状の係合凹部５２が形成されている。
【００２６】
キャップ本体６は、軸線Ｏを共通軸にして口部２０や中栓３と同軸上に配設された有頂筒状の部材であり、注出口３５を閉塞する頂壁部６５と、頂壁部６５の外縁から垂下された周壁部７１と、が備えられている。
【００２７】
周壁部７１は、口部２０に中栓３が装着されてなる注出部の外周面形状に沿って多段状に形成されており、この周壁部７１には、大径部２３の径方向外側に周設されて大径部２３に係合された第一筒部６０と、係合筒部３２の径方向外側に周設された第二筒部６２と、ノズル筒部３０の径方向外側に周設された第三筒部６４と、第一筒部６０と第二筒部６２とを接続する第一環部６１と、第二筒部６２と第三筒部６４とを接続する第二環部６３と、が備えられている。
【００２８】
第一筒部６０は、軸線Ｏを共通軸にして口部２０の大径部２３や外殻部材５の周壁部５１と同軸上に配設された円筒形状の筒部であり、周壁部７１のうちで最も下段に位置し、外殻部材５の周壁部５１の下部の内側に共回り不能に嵌合されている。第一筒部６０の内周面には、上記した口部２０の大径部２３の雄ねじ２６に螺合される雌ねじ６６が形成されており、オーバーキャップ４は、この第一筒部６０によって口部２０に螺着されている。また、第一筒部６０の外周面には、上記した係合凹部５２の内側に嵌め込まれてアンダーカット嵌合する係合凸部６７が形成されており、第一筒部６０は、係合凹部５２及び係合凸部６７によって外殻部材５の周壁部５１に係止されている。
【００２９】
第一環部６１は、第一筒部６０の上端から径方向内側に向けて全周に亘って突出された円環状の段差部であり、口部２０の段差部２４の上方に配設されている。この第一環部６１の内周部下面は、口部２０の段差部２４の外周部上面に対向配置されており、この第一環部６１の内周部下面には、段差シール部６８が段差部２４に向かって突設されている。この段差シール部６８は、縦断面視略半円状の突起であり、第一環部６１の内縁に沿って平面視円環状に形成され、段差部２４の外周部上面に対して全周に亘って密接されている。
【００３０】
第二筒部６２は、第一筒部６０よりも小径の円筒形状の筒部であり、第一環部６１の内縁から立設されていると共に、軸線Ｏを共通軸にして係合筒部３２と同軸上に配設されている。
第二環部６３は、第二筒部６２の上端から径方向内側に向けて全周に亘って突出された円環状の段差部であり、中栓３のフランジ部３１の上方に配設されている。この第二環部６３の下面は、フランジ部３１の上面に対向配置されており、この第二環部６３の下面には、フランジ部３１の上面に対して全周に亘って密接される環状の中栓シール部６９が突設されている。この中栓シール部６９は、縦断面視略三角形状の突起であり、第二環部６３の内縁に沿って平面視円環状に形成されている。
第三筒部６４は、第二環部６３の内縁から立設された筒部であって、第二環部６３の内縁から上方に向かって漸次縮径されたテーパー形状を成している。
【００３１】
頂壁部６５は、第三筒部６４の上端に配設された平面視円形の板部であり、軸線Ｏに対して垂直に配設されていると共に中栓３の頂壁部３４の上方に配設されている。この頂壁部６５の下面は、中栓３の頂壁部３４の上面（注出口３５の開口面）に対向配置されており、この頂壁部６５の下面には、中栓３の頂壁部３４の上面（ノズル筒部３０の上端面）に対して密接される環状の注出口シール部７０が突設されている。この注出口シール部７０は、縦断面視略半円形の突起であり、注出口３５の周囲全周に亘って周設されて平面視円環状に形成されている。
【００３２】
次に、上記した構成からなるキャップ付容器１の作用について説明する。
【００３３】
まず、使用前のキャップ付容器１について説明する。
使用前のキャップ付容器１は、図１に示すように、オーバーキャップ４が口部２０に装着されている。このとき、キャップ本体６の頂壁部６５によって中栓３の注出口３５が閉塞されていると共に、キャップ本体６の頂壁部６５と中栓３の頂壁部３４との間に注出口シール部７０が介在されているので、容器本体２内の内容物の漏出が確実に抑えられる。またこのとき、段差シール部６８が口部２０の段差部２４に密接すると共に、中栓シール部６９が中栓３のフランジ部３１に密接し、さらに、注出口シール部７０が中栓３の頂壁部３４に密接するので、容器本体２が確実に密閉され、容器本体２内の気密性が確保されると共に、内容物の漏出がより確実に抑えられる。
【００３４】
なお、口部２０の段差部２４に対向配置された第一環部６１に段差シール部６８が設けられ、中栓３のフランジ部３１に対向配置された第二環部６３に中栓シール部６９が設けられ、中栓３の頂壁部３４に対向配置されたキャップ本体６の頂壁部６５に注出口シール部７０が設けられているので、段差シール部６８、中栓シール部６９及び注出口シール部７０は、それぞれ突出長さが短尺な突起となっている。このため、段差シール部６８、中栓シール部６９及び注出口シール部７０は、長尺な筒状のシール部に比べて、それぞれ被当接面（段差部２４、フランジ部３１、頂壁部３４）に対して密接しやすく、液密性の確保が容易となる。
【００３５】
次に、キャップ付容器１の使用方法について説明する。
キャップ付容器１を使用する際には、まず、オーバーキャップ４を口部２０から取り外す。具体的に説明すると、オーバーキャップ４を口部２０に対して相対的に軸線Ｏ回りに回転させ、キャップ本体６の雌ねじ６６を口部２０の大径部２３の雄ねじ２６から外す。これにより、オーバーキャップ４が口部２０から分離され、注出口３５が開放される。
【００３６】
次に、容器本体２内に内容物が十分に残っている際には、口部２０に中栓３が装着された状態のまま、容器本体２の胴部２１を押圧して容器本体２内の内容物を注出口３５から注出する。このように、小径の注出口３５から内容物を注出することにより、内容物が少量ずつ注出される。
【００３７】
一方、容器本体２内の内容物の残りが少量となり、注出口３５から内容物が注出しにくいときには、口部２０に装着された中栓３を取り外す。具体的に説明すると、中栓３を口部２０に対して相対的に軸線Ｏ回りに回転させ、中栓３の雌ねじ３６を口部２０の小径部２５の雄ねじ２７から外す。これにより、中栓３が口部２０から分離され、口部２０の上端開口が開放される。
次に、容器本体２の胴部２１を押圧して胴部２１内の内容物を口部２０内に押し出すと共に、口部２０の上端開口から指等を挿入して容器本体２内（口部２０内）の内容物を直接掻き出す。
そして、使用後には、中栓３を取り外した状態のまま、口部２０にオーバーキャップ４を再び被着させ、キャップ本体６の雌ねじ６６を口部２０の大径部２３の雄ねじ２６に螺着させる。これにより、段差シール部６８が口部２０の段差部２４に密接され、容器本体２内が密閉されて容器本体２内の気密性が確保される。
【００３８】
上記したキャップ付容器１によれば、口部２０から中栓３を取り外すことで、口部２０に指等を挿入して内容物を直接掻き出すことができるので、容器本体２内の内容物を容易に使い切ることができる。
【００３９】
また、口部２０の段差部２４に密接する段差シール部６８がオーバーキャップ４に設けられているので、中栓３を取り外す前だけでなく、中栓３を取り外した後も容器本体２内の気密性を確保することができ、容器本体２内の内容物の乾燥を防止することができる。
【００４０】
また、中栓３を口部２０に固定させるための係合筒部３２が中栓３に一体に形成されているので、中栓３を抜け止めする部材が不要であり、部品数を少なくすることができる。
また、口部２０から中栓３を取り外して使用する際の手順としては、中栓３を口部２０から取り外すだけであるので、使用手順が簡単であり、使いやすさを向上させることができる。
【００４１】
また、注出口３５の外周に注出口シール部７０が周設されているので、注出口３５からの内容物の漏出を確実に防止することができる。また、中栓３のフランジ部３１に全周に亘って中栓シール部６９が周設されているので、万一、注出口３５からノズル筒部３０の外周に内容物が漏出したとしても、中栓シール部６９によって中栓３のフランジ部３１がシーリングされているので、内容物が係合筒部３２側まで漏出することを防止することができる。さらに、上記した中栓シール部６９及び注出口シール部７０によって、容器本体２内をより確実に密閉することができ、容器本体２内の気密性をより確実に確保することができる。
【００４２】
以上、本発明に係るキャップ付容器の実施の形態について説明したが、本発明は上記した実施の形態に限定されるものではなく、その趣旨を逸脱しない範囲で適宜変更可能である。
例えば、上記した実施の形態では、平面視円形の注出口３５が中栓３の頂壁部３４に形成されているが、本発明は注出口の形状や数は適宜変更可能であり、例えば平面視矩形の注出口であってもよく、放射状にスリットが形成された注出口であってもよく、複数の孔からなる注出口であってもよい。
【００４３】
また、上記した実施の形態では、オーバーキャップ４が口部２０の大径部２３に螺着されているが、本発明は、螺着以外の係合構造でオーバーキャップが口部の大径部に係合されていてもよく、例えば、オーバーキャップが口部の大径部にアンダーカット嵌合されていてもよい。
また、上記した実施の形態では、中栓３の係合筒部３２が口部２０の小径部２５に螺着されているが、本発明は、螺着以外の係合構造で中栓の係合筒部が口部の小径部に係合されていてもよく、例えば、中栓の係合筒部が口部の小径部にアンダーカット嵌合や圧入嵌合されていてもよい。
【００４４】
また、上記した実施の形態では、容器本体２の胴部２１が可撓性を有しており、この胴部２１の下端部を径方向内側に潰すように変形させて重ね合わせることで容器本体２の下端が閉塞された構成となっているが、本発明に係るキャップ付容器は、内容物を絞り出し可能なボトル状やパウチ状の容器であってもよい。例えば、容器本体が、薄肉で可撓性を有する筒状の胴部の下端に底部が一体に形成されたボトルであってもよく、或いは、薄肉で可撓性を有する筒状の胴部の下端に図示せぬ底蓋が嵌合されたボトルであってもよく、或いは、密閉された袋状のパウチであってもよい。さらに、本発明は、不可撓性の容器本体にすることも可能であり、例えば、変形不能なガラス製や合成樹脂製、陶製等の容器本体であってもよい。
【００４５】
また、上記した実施の形態では、オーバーキャップ４に外殻部材５とキャップ本体６とが備えられ、キャップ本体６に、第一筒部６０、第一環部６１、第二筒部６２、第二環部６３、第三筒部６４及び頂壁部６５が備えられているが、本発明は、他の形状のオーバーキャップを用いることも可能である。例えば、外殻部材５を省略し、キャップ本体６のみからなるオーバーキャップにしてもよい。また、単なる有頂筒状のオーバーキャップを用いることも可能である。
また、本発明は、中栓シール部６９を省略したキャップ付容器にすることも可能である。
【００４６】
また、上記した実施の形態では、口部２０の段差部２４が軸線Ｏに対して垂直な平面状の段差面を有しているが、本発明は、口部の段差部が傾斜されていてもよく、例えば、大径部の上端から小径部の下端に向けて漸次縮径されたテーパー状の段差部（段差面）であってもよい。
【００４７】
その他、本発明の主旨を逸脱しない範囲で、上記した実施の形態における構成要素を周知の構成要素に置き換えることは適宜可能であり、また、上記した変形例を適宜組み合わせてもよい。
【符号の説明】
【００４８】
１  キャップ付容器
２  容器本体
３  中栓
４  オーバーキャップ
２０  口部
２３  大径部
２４  段差部
２５  小径部
３０  ノズル筒部
３１  フランジ部
３２  係合筒部
３５  注出口
６０  第一筒部
６１  第一環部
６２  第二筒部
６３  第二環部
６４  第三筒部
６５  頂壁部
６８  段差シール部
６９  中栓シール部
７０  注出口シール部
７１  周壁部
【図１】
2011073722.tif 000003